(57)【特許請求の範囲】
【請求項１】
標準型の便器を備えたトイレットにおいて便座に着座した個人から排泄された尿をサンプリングするための装置であって：
第１端部と第２端部とを備えたスイングアームと、スイングアームの前記第１端部を便器のリムの側部に隣接し該リム側部の上方に位置する水平な回転軸線を中心として回動可能に支持する支持手段と、スイングアームの前記第２端部に担持された比較的平たい採尿容器と、便器のリムの前部に近接する休止位置と便器のボウル空間内に位置する採尿位置との間で前記採尿容器を移動させるべく前記スイングアームを回動させる駆動手段とを備え、前記採尿容器は、リムの前部に近接する前記休止位置においてほぼ垂直な姿勢に保持され、スイングアームがその最下位置に揺動したときにほぼ水平な姿勢に保持されるようにスイングアームに担持されていることを特徴とする尿サンプリング装置。
【請求項２】
前記採尿容器は便器の横断方向に延長する長軸をもったほぼ矩形の入口開口を有する請求項１に基づく尿サンプリング装置。
【請求項３】
前記入口開口はスイングアームの前記回転軸線に垂直な線に対してほぼ垂直に延長している請求項２に基づく尿サンプリング装置。
【請求項４】
前記採尿容器は尿溜まりと低い周辺側壁を備え、前記側壁の一部は前記尿溜まりに向かって傾斜している請求項２に基づく尿サンプリング装置。
【請求項５】
前記採尿容器は、その後部に位置する尿溜まりと、前記尿溜まりに向かって傾斜した傾斜前壁を備え、傾斜前壁に注がれた尿が前記尿溜まりに向かって流れるようになっている請求項１から４のいづれかに基づく尿サンプリング装置。
【請求項６】
前記採尿容器は、尿溜まりと、前記尿溜まりの側方に位置し該尿溜まりに向かって傾斜した傾斜底壁を備え、傾斜底壁に注がれた尿が尿溜まりに向かって流れるようになっている請求項１から５のいづれかに基づく尿サンプリング装置。
【請求項７】
前記尿溜まりに尿が集積したことを検出するための１対の電極を備え、前記電極の少なくとも一方はその先端部のみが露出させてあり、前記露出先端部は採尿容器の側壁から離間してある請求項４から６のいづれかに基づく尿サンプリング装置。
【請求項８】
スイングアームの前記第２端部はスイングアームの前記回転軸線に対して後方にオフセットしてあり、採尿容器を後方にオフセットして支持している請求項１から７のいづれかに基づく尿サンプリング装置。
【請求項９】
前記採尿容器は前記休止位置においてリムの内側に保持されることを特徴とする請求項１から８のいづれかに基づく尿サンプリング装置。
【請求項１０】
前記採尿容器は前記休止位置において便座の前部に少なくとも部分的に隠蔽される請求項９に基づく尿サンプリング装置。
【請求項１１】
前記支持手段は便座に装着されたフレームからなり、前記フレームは実質的に便座に隠蔽されるような形状を有する請求項１から１０のいづれかに基づく尿サンプリング装置。
【請求項１２】
前記駆動手段は、スイングアームの前記回転軸線よりも後方に配置されたモータと該モータの回転を前記スイングアームに伝達する伝動機構を備えてなり、前記便座は下方に開口した凹みを備え、前記モータの少なくとも一部は便座の前記凹みに収容されている請求項１１に基づく尿サンプリング装置。
【請求項１３】
前記伝動機構はベルト伝動機構を有する請求項１２に基づく尿サンプリング装置。
【請求項１４】
前記支持手段は便器のリムに着脱自在に装着されたフレームからなる請求項１から１０のいづれかに基づく尿サンプリング装置。
【請求項１５】
前記休止位置において採尿容器とスイングアームを洗浄する洗浄手段を更に備えている請求項１から１４のいづれかに基づく尿サンプリング装置。
【請求項１６】
前記洗浄手段は休止位置における採尿容器の側方に配置され採尿容器に向かって指向した洗浄水噴射ノズルからなり、前記採尿容器の側壁には洗浄水を受け入れる開口が設けてある請求項１５に基づく尿サンプリング装置。
【請求項１７】
前記洗浄手段は休止位置における採尿容器の側方に配置され採尿容器に向かって指向した洗浄水噴射ノズルからなり、前記噴射ノズルは休止位置における採尿容器の鉛直方向中心よりも高い位置に配置されている請求項１５に基づく尿サンプリング装置。
【請求項１８】
前記洗浄手段は休止位置における採尿容器の側方に配置され採尿容器に向かって指向した洗浄水噴射ノズルからなり、前記採尿容器の入口開口は網によって覆われており、前記網は採尿容器の休止位置において前方に傾斜するようになっている請求項１５に基づく尿サンプリング装置。
【請求項１９】
標準型の便器を備えたトイレットにおいて便座に着座した個人から排泄された尿をサンプリングするための装置であって：
第１端部と第２端部とを備え便器のリムの形状に対応して湾曲したスイングアームと、スイングアームの前記第１端部を便器のリムの側部に隣接し該リム側部の上方に位置する水平な回転軸線を中心として回動可能に支持するフレームと、スイングアームの前記第２端部に担持された比較的平たい採尿容器と、便器のリムの前記側部とリムの前部との間の角度範囲にわたって便器のリムの形状に対応して湾曲して延長する下方に開口した溝形の収納室を備え該リムに近接して該リムの内側に保持される収納部材と、前記収納室内の収納位置と便器のボウル空間内に位置する採尿位置との間で前記採尿容器を移動させるべく前記スイングアームを回動させる駆動手段とを備え、前記採尿容器は前記収納位置において前記収納室内にほぼ垂直な姿勢に保持されると共にスイングアームがその最下位置に揺動したときにほぼ水平な姿勢に保持され、前記スイングアームおよび採尿容器は非使用時には前記収納室内にほぼ格納されることを特徴とする尿サンプリング装置。
【請求項２０】
前記フレームは便座に装着されており、前記フレームは実質的に便座に隠蔽されるような形状を有する請求項１９に基づく尿サンプリング装置。
【請求項２１】
前記フレームは便器のリムに着脱自在に装着されており、前記フレームは便座を水平位置にした時に便座にほぼ隠蔽されるようになっている請求項１９に基づく尿サンプリング装置。
【請求項２２】
前記採尿容器とスイングアームが前記収納室内に収納された時に採尿容器とスイングアームに洗浄水を噴射する洗浄手段を備え、使用済みの洗浄水は便器のボウルに落下するようになっている請求項１９から２１のいづれかに基づく尿サンプリング装置。
【請求項２３】
標準型の便器を備えたトイレットにおいて便座に着座した個人から排泄された尿をサンプリングするための装置であって：
第１端部と第２端部とを備え便器のリムの形状に対応して湾曲したスイングアームと、スイングアームの前記第１端部を便器のリムの側部に隣接し該リム側部の上方に位置する水平な回転軸線を中心として回動可能に支持するフレームと、スイングアームの前記第２端部に担持された比較的平たい採尿容器と、便器のリムの前記側部とリムの前部との間の角度範囲にわたって便器のリムの形状に対応して湾曲して延長する下方に開口した溝形の収納洗浄室を備え該リムに近接して該リムの内側に保持される収納部材と、前記収納洗浄室内に位置する収納位置と便器のボウル空間内に位置する採尿位置との間で前記採尿容器を移動させるべく前記スイングアームを回動させる駆動手段と、前記採尿容器とスイングアームが前記収納洗浄室内に収納された時に採尿容器とスイングアームに洗浄水を噴射する洗浄手段を備え、前記採尿容器は前記休止位置において前記収納洗浄室内にほぼ垂直な姿勢に保持されると共にスイングアームがその最下位置に揺動したときにほぼ水平な姿勢に保持され、前記スイングアームと採尿容器は使用後は前記収納洗浄室内に収納され前記洗浄手段から噴射された洗浄水によって洗浄されることを特徴とする尿サンプリング装置。
【請求項２４】
前記収納洗浄室は使用済みの洗浄水が便器のボウルに落下するように構成されている請求項２３に基づく尿サンプリング装置。
【請求項２５】
便座を立てたときに前記収納洗浄室に残留する洗浄水をボウルに落下させる手段を備えている請求項２４に基づく尿サンプリング装置。
【請求項２６】
標準型の便器を備えたトイレットにおいて便座に着座した個人から排泄された尿をサンプリングするための装置であって：
第１端部と第２端部とを備えたスイングアームと、スイングアームの前記第１端部を便器のリムの側部に隣接し該リム側部の上方に位置する水平な回転軸線を中心として回動可能に支持する支持手段と、スイングアームの前記第２端部に担持されたほぼ平たい盆状の採尿容器と、便器のリムの前部に近接する休止位置と便器のボウル空間内に位置する採尿位置との間で前記採尿容器を移動させるべく前記スイングアームを回動させる駆動手段とを備え、前記採尿容器は、リムの前部に近接する前記休止位置においてほぼ垂直な姿勢に保持されるようにスイングアームに装着されていることを特徴とする尿サンプリング装置。
【請求項２７】
標準型の便器を備えたトイレットにおいて便座に着座した個人から排泄された尿をサンプリングするための装置であって：
第１端部と第２端部とを備えたスイングアームと、スイングアームの前記第１端部を便器のリムの側部に隣接し該リム側部の上方に位置する水平な回転軸線を中心として回動可能に支持する支持手段と、スイングアームの前記第２端部に担持されたほぼ平たい盆状の採尿容器と、便器のリムの前部に近接する休止位置と便器のボウル空間内に位置する採尿位置との間で前記採尿容器を移動させるべく前記スイングアームを回動させる駆動手段とを備え、前記採尿容器はスイングアームがその最下位置に揺動したときにほぼ水平な姿勢に保持されるようにスイングアームに装着されていることを特徴とする尿サンプリング装置。
【請求項２８】
標準型の便器を備えたトイレットにおいて便座に着座した個人から排泄された尿をサンプリングするための装置であって：
第１端部と第２端部とを備えたスイングアームと、スイングアームの前記第１端部を便器のリムの側部に隣接し該リム側部の上方に位置する水平な回転軸線を中心として回動可能に支持する支持手段と、スイングアームの前記第２端部に担持されたほぼ平たい盆状の採尿容器と、便器のリムの前部に近接する休止位置と便器のボウル空間内に位置する採尿位置との間で前記採尿容器を移動させるべく前記スイングアームを回動させる駆動手段とを備え、前記採尿容器はスイングアームがほぼ垂直に揺動したときにほぼ水平な姿勢に保持されるようにスイングアームに装着されていることを特徴とする尿サンプリング装置。
【請求項２９】
標準型の便器を備えたトイレットにおいて便座に着座した個人から排泄された尿をサンプリングするための装置であって：
第１端部と第２端部とを備えたスイングアームと、スイングアームの前記第１端部を便器のリムの側部に隣接し該リム側部の上方に位置する水平な回転軸線を中心として回動可能に支持する支持手段と、スイングアームの前記第２端部に担持された比較的平たい採尿容器と、便器のリムの後部に近接する休止位置と便器のボウル空間内に位置する採尿位置との間で前記採尿容器を移動させるべく前記スイングアームを回動させる駆動手段とを備え、前記採尿容器は、リムの後部に近接する前記休止位置においてほぼ垂直な姿勢に保持され、スイングアームがその最下位置に揺動したときにほぼ水平な姿勢に保持されるようにスイングアームに担持されていることを特徴とする尿サンプリング装置。
【請求項３０】
標準型の便器を備えたトイレットにおいて便座に着座した個人から排泄された尿をサンプリングするための装置であって：
第１端部と第２端部とを備え便器のリムの形状に対応して湾曲したスイングアームと、スイングアームの前記第１端部を便器のリムの側部に隣接し該リム側部の上方に位置する水平な回転軸線を中心として回動可能に支持する支持手段と、スイングアームの前記第２端部に担持された比較的平たい採尿容器と、便器のリムの前記側部とリムの後部との間の角度範囲にわたって便器のリムの形状に対応して湾曲して延長する下方に開口した溝形の収納室を備え該リムに近接して該リムの内側に保持される収納部材と、前記収納室内の収納位置と便器のボウル空間内に位置する採尿位置との間で前記採尿容器を移動させるべく前記スイングアームを回動させる駆動手段とを備え、前記採尿容器は前記収納位置において前記収納室内にほぼ垂直な姿勢に保持されると共にスイングアームがその最下位置に揺動したときにほぼ水平な姿勢に保持され、前記スイングアームおよび採尿容器は非使用時には前記収納室内にほぼ格納されることを特徴とする尿サンプリング装置。
【請求項３１】
標準型の便器を備えたトイレットにおいて便座に着座した個人から排泄された尿をサンプリングするための装置であって：
第１端部と第２端部とを備え便器のリムの形状に対応して湾曲したスイングアームと、スイングアームの前記第１端部を便器のリムの側部に隣接し該リム側部の上方に位置する水平な回転軸線を中心として回動可能に支持する支持手段と、スイングアームの前記第２端部に担持された比較的平たい採尿容器と、便器のリムの前記側部とリムの後部との間の角度範囲にわたって便器のリムの形状に対応して湾曲して延長する下方に開口した溝形の収納洗浄室を備え該リムに近接して該リムの内側に保持される収納部材と、前記収納洗浄室内に位置する収納位置と便器のボウル空間内に位置する採尿位置との間で前記採尿容器を移動させるべく前記スイングアームを回動させる駆動手段と、前記採尿容器とスイングアームが前記収納洗浄室内に収納された時に採尿容器とスイングアームに洗浄水を噴射する洗浄手段を備え、前記採尿容器は前記収納位置において前記収納洗浄室内にほぼ垂直な姿勢に保持されると共にスイングアームがその最下位置に揺動したときにほぼ水平な姿勢に保持され、前記スイングアームと採尿容器は使用後は前記収納洗浄室内に収納され前記洗浄手段から噴射された洗浄水によって洗浄されることを特徴とする尿サンプリング装置。
【請求項３２】
前記採尿容器は便器の横断方向に延長する長軸をもったほぼ矩形の入口開口を有する請求項２９から３１のいづれかに基づく尿サンプリング装置。
【請求項３３】
前記入口開口はスイングアームの前記回転軸線に垂直な線に対してほぼ垂直に延長している請求項３２に基づく尿サンプリング装置。
【請求項３４】
前記採尿容器は尿溜まりと低い周辺側壁を備え、前記側壁の一部は前記尿溜まりに向かって傾斜している請求項３２に基づく尿サンプリング装置。
【請求項３５】
前記採尿容器は、その後部に位置する尿溜まりと、前記尿溜まりに向かって傾斜した傾斜前壁を備え、前記傾斜前壁に注がれた尿が前記尿溜まりに向かって流れるようになっている請求項３２に基づく尿サンプリング装置。
【請求項３６】
前記採尿容器は、尿溜まりと、前記尿溜まりの側方に位置し該尿溜まりに向かって傾斜した傾斜底壁を備え、前記傾斜底壁に注がれた尿が尿溜まりに向かって流れるようになっている請求項３２に基づく尿サンプリング装置。
【請求項３７】
前記採尿容器は非使用時にはリムの内側に保持されることを特徴とする請求項２９から３６のいづれかに基づく尿サンプリング装置。
【請求項３８】
前記採尿容器は非使用時に便座の後部に少なくとも部分的に隠蔽される請求項３７に基づく尿サンプリング装置。
【請求項３９】
前記支持手段は便座に装着されたフレームからなり、前記フレームは実質的に便座に隠蔽されるような形状を有する請求項２９から３８のいづれかに基づく尿サンプリング装置。
【請求項４０】
前記支持手段は便器のリムに着脱自在に装着されている請求項２９から３８のいづれかに基づく尿サンプリング装置。
【発明の詳細な説明】
【０００１】
【発明の目的】
【産業上の利用分野】
本発明は、尿分析に当たり住宅やオフィスその他のトイレットにおいて個人が排泄した尿をその場でサンプリングするための装置に関する。より詳しくは、本発明は、市販の標準型の水洗便器を備えたトイレットにおいて効率良く尿をサンプリングすることの可能な尿サンプリング装置に関する。
【０００２】
【従来の技術】
人々の長寿高齢化に伴い、健康管理に関する各人の関心が高まっている。尿は個人の健康状態に関する重要な情報源であり、尿糖、尿蛋白、ウロビリノーゲン、潜血、その他の尿成分を定量分析することにより、糖尿病のようなすい臓障害や肝臓障害や腎臓障害その他の機能障害を非侵襲方式で検査することができる。そこで、家庭や職場その他のトイレットを利用して尿のサンプリングと分析を行い、個人の健康チェックを支援することの可能な、尿分析機能を備えたトイレットが提案されている。
【０００３】
例えば、特開昭５９−２１７８４４号、特開昭６３−１８４０５７号、特開昭６３−２９０９６１号、特開平１−１７８８６６号、特開平４−１９１６６０号には、洋式便器のボウル面に採尿部を形成し、ボウル面に排泄された尿を採尿部に集めてサンプリングすることが提案されている。採取された尿サンプルは、液体クロマトグラフ法、試験紙法、或いはポーラログラフ法により分析される。ボウル面の採尿部を利用したこのサンプリング方式の利点は、ボウル面に排泄された尿を放尿方向や落下位置に関係なくかなり広い面積から集めて採取することができるということである。
【０００４】
しかしながら、このサンプリング方式の難点は、標準型の便器や既設の便器を利用することができず、ボウル面に採尿部が形成された尿サンプリング目的の特殊便器を必要とすることである。斯る特殊便器は、標準型の便器とは別個に特別に製造しなければならず、従って大量生産によるコストダウンが難かしいので、一般家庭や職場やオフィスに普及させるには余りに高価である。また、通常のボウル形状の標準型の便器を備えた既設のトイレットを尿分析ができるように改造する場合には、先ず既存の便器を撤去し、次に尿分析目的の特殊便器を設置しなければならないので、工事に多大な費用と手数を要すると共に、既存設備の廃棄を招く。更に、便器洗浄後にはボウル面の採尿部には洗浄水や古い尿や排泄物が残留し、サンプリングすべき新たな尿を希釈し或いは汚染するので、良好な検体をサンプリングできないおそれがある。
【０００５】
特開昭６２−１８７２５３号の第４図には、排泄物採取容器を支持したスイングアームを便器のボウル空間内で揺動させ、尿その他の排泄物を採取するようになったサンプリング装置が開示されている。排泄物採取容器は皿状であり、常に水平に保持されるようになっているので、試料の採取には好都合である。しかし、採取容器は水平に保持されるので、収納に際しては前後方向にかなりのスペースを要する。このため、便器のボウルの後部には検査領域兼用の特殊な収納空間が形成してある。従って、この装置においても、後部に採取容器を収納するための収納領域が形成された特製の便器をやはり必要とするので、標準型の便器を使用することができないという不便がある。
【０００６】
特開昭６２−１８７２５３号の他の問題点は、尿をサンプリングするに際してはスイングアームの揺動に時間を要するということである。即ち、排泄物採取容器は尿だけでなく大便もサンプリングするようになっているので、排泄物採取容器はボウル後部の収納領域から前方に揺動するようになっている。しかしながら、尿は、一般に、ボウルの中央よりも前方に落下するので、使用者が尿サンプリングの開始スイッチを押した後、ボウル後部の収納位置から尿のサンプリングに適した前方の位置まで採取容器を移動させるには時間がかかり、採尿準備の待ち時間が長くなる。
【０００７】
実開平５−３０７６４号には、便座に付加した採尿機構によって尿をサンプリングし分析装置に送って分析するようになった健康診断装置が提案されている。便座に着座した使用者から排泄された尿をボウル空間内の空中で受け取ってサンプリングするため、便座の下面には垂直軸線を中心として旋回可能な旋回アームの一端が取付けてあり、このアームの自由端には円筒形の縦長の採尿カップが取り付けてある。アームの回動は、手動あるいは電動で行われる。この健康診断装置は、特製の便器を必要とせず、標準型の便器を利用して尿をサンプリングすることができるという利点がある。
【０００８】
しかしながら、この装置の問題点は、排泄された尿を効率良くサンプリングするのが困難であり、また、採尿機構が実用的でないということである。即ち、一般に、放尿方向には男女差による変動があり、男性の場合には尿柱は比較的ボウルの前方に落下し、女性の場合にはこれよりもやゝ後寄りに落下する。また、放尿方向には個人差があり、便座に着座した時の被験者の姿勢に応じてその都度方向が変動する。これらの結果、便器のボウル空間に落下する尿柱の軌跡は前後にずれると共に、左右方向にもずれる。従って、排泄された尿を確実にサンプリングするためには、採尿容器は出来るだけ大きく形成しなければならない。さもないと、尿柱が具合良く採尿容器に命中しない場合には、サンプリングの機会を失することになる。特に、尿分析の必要性の高い高齢者の場合には１回当たりの排尿量は少ないので、確実に採尿するためには大型の採尿容器を使用する必要がある。
【０００９】
しかしながら、標準型の便器を使用して尿をサンプリングする場合には、トイレットは通常の用便の目的にも使用しなければならないので、採尿容器の非使用時には採尿容器を便座の下などの邪魔にならない場所に収納できることが望ましい。そこで、他方において、採尿容器には、充分に小型でなければならないという要請が課される。実開平５−３０７６４号の採尿機構においては円筒形の縦長の採尿カップが使用してあるので、相反するこれらの要求を充たすのが困難である。
【００１０】
また、実開平５−３０７６４号に開示された採尿機構においては採尿カップは垂直な回転軸線を中心とする円弧状の軌跡に沿って移動せられるので、便器の中央面に沿って採尿カップを移動させることができない。従って、尿柱の落下位置の前後方向のずれに適合させるべく採尿カップを旋回させた場合には採尿容器は左右方向にずれるので、排泄された尿を効率良く確実に採取するのが困難である。
【００１１】
更に、トイレットでの採尿は楽な姿勢で行えることが望ましい。一般に、被験者が便座に着座したときには、臀部の１部は体重により便座より下方に多少沈み込む。実開平５−３０７６４号の装置では、旋回アームは便座に装着されていると共に垂直な回転軸線を中心として回転するようになっているので、採尿カップの旋回位置が高すぎ、採尿容器を旋回させると採尿容器が被験者の臀部（或いは、男性の場合にはペニス）にぶつかる。従って、実際には、被験者が便座から腰を浮かせながら放尿しない限り、採尿容器との干渉を避けるのは困難であろう。また、採尿カップの位置が高すぎるので、使用者の臀部や大腿部に尿のハネがかかるという不具合がある。
【００１２】
使用後には尿で汚れた採尿容器やスイングアームは十分に洗浄するのが好ましい。さもないと、次回のサンプリングに際しては尿サンプルは前回の尿で汚染されるので、良好な検体を採取することができず、高精度の尿分析を行うことができない。また、尿で汚れた採尿容器やスイングアームを放置すると、不潔であり、悪臭発生の原因となる。
【００１３】
【発明が解決しようとする課題】
本発明の主たる目的は、従来型の標準型水洗便器を備えたトイレットにおいて効果的に尿をサンプリングすることの可能な実用的な尿サンプリング装置を提供することである。
【００１４】
本発明の他の目的は、標準型の便器を利用して尿をサンプリングするにあたり、非使用時に容易に収納可能な形状の採尿容器を使用しながらも、確実に尿をサンプリングすることの可能な尿サンプリング装置を提供することにある。
【００１５】
本発明の他の目的は、非使用時には便座に隠蔽される位置に収納することができ、トイレットの通常の使用に支障を来すことのない尿サンプリング装置を提供することにある。
【００１６】
本発明の他の目的は、標準型便器を備えたトイレットにおいて尿をサンプリングするに当たり、男女差や着座姿勢の変動に起因する尿柱の軌跡の前後方向或いは左右方向のバラツキに関係なく、確実かつ容易に尿を採取することの可能な尿サンプリング装置を提供することである。
【００１７】
本発明の他の目的は、被験者が安楽な普通の姿勢で放尿した時にも男女差や個人差に関係なく確実に採尿を行うことの可能な尿サンプリング装置を提供することにある。
【００１８】
本発明の他の目的は、採尿容器を清潔に維持するため、使用後に採尿容器を洗浄する小型でコンパクトな洗浄装置を備えた尿サンプリング装置を提供することである。
【００１９】
【発明の構成】
【課題を解決するための手段および作用の概要】
本発明の特徴は特許請求の範囲に記載した通りである。その概要を述べるに、本発明の尿サンプリング装置はスイングアームを備え、このスイングアームの一端は便器のリムの側部の上方に位置する水平な回転軸線を中心として回動可能に支持されている。スイングアームの他端には採尿容器が装着されており、この採尿容器はスイングアームの揺動に伴い便器のボウル空間内で揺動せられる。本発明の採尿容器は、ほぼ平たい形状に構成されていることを特徴としている。この採尿容器は、モータのような駆動手段によってスイングアームを揺動させるとほぼ垂直な姿勢とほぼ水平な姿勢との間で揺動するようにスイングアームに取り付けてある。好ましくは、採尿容器の入口開口はスイングアームの半径方向（回転軸線に垂直な方向）に対してほぼ垂直になっている。
【００２０】
このように採尿容器は平たい盆状に形成してあるので、採尿にあたりスイングアームをほぼ垂直なその最下位置に揺動させた時には採尿容器は水平になる。この状態では、採尿容器の入口開口も水平になるので、女性の場合のようにやゝ下向きに落下する尿に対して入口開口は最大の受尿面積を提供し、尿を効果的に採取することができる。また、採尿容器を水平に保持した時には、その内容量は最大になる。
【００２１】
スイングアームを斜めの姿勢に揺動させると、採尿容器の入口開口も斜めの姿勢を取る。この姿勢は、男性の場合のように斜め前方寄りに落下する尿を最大の受尿面積で効果的に受け取るのに適している。
【００２２】
非使用時には、スイングアームを水平な位置まで揺動させると、採尿容器は垂直な姿勢を取る。この姿勢では、採尿容器の前後方向寸法は小さくなるので、便器のリムの内側において便座に隠蔽されるような前後に狭いスペースに容易に収納することができる。このように便座に隠蔽される場所に収納すれば、トイレットの通常の使用の邪魔になることがなく、また、トイレットの通常の使用の過程で尿サンプリング装置が汚損されることがない。採尿容器を垂直に位置決めした時には、余分の尿や洗浄水のような内容物はボウルに排出される。
【００２３】
好ましい実施態様においては、採尿容器は、尿溜まりとこの尿溜まりに向かって傾斜した傾斜前壁および傾斜底壁を備え、便器の横断方向に延長する長軸をもったほぼ矩形の入口開口を有する。このように横長の採尿容器を使用すれば、尿の軌跡が左右に多少ずれたとしても、尿柱は採尿容器の横方向長さの範囲内に落下することになり、効率良く尿を採取することができる。
【００２４】
一実施態様においては、非使用時には、スイングアームを後方に揺動させて、採尿容器を便器のリムの後部に隣接する収納室に収納することができる。しかし、好ましい実施態様においては、スイングアームを前方に揺動させることにより採尿容器は便器のリムの前部に隣接する収納室に収納される。このように非使用時には便器の前部に設けた収納室内に採尿容器を収納し、尿のサンプリングに際してはこの収納室から出発して後下方に向かって採尿容器を揺動させるようにすれば、便器の後部から揺動させる場合に比べて採尿容器をより早く採尿位置に持ち来すことができる。従って、使用者がスタートスイッチを押してから採尿を開始できるまでの採尿準備の待ち時間を短縮することができる。また、このように採尿容器を前方に収納すれば、便器の後部にビデ装置（股間部洗浄装置）を設置することができ、トイレットを多機能にすることができる。
【００２５】
収納室はリムの側部から前部（或いは後部）までリムの内縁に沿って湾曲して延長させると共に、スイングアームもリムの内縁に沿って湾曲させ、使用後にスイングアームもまたこの収納室内に収納するようにするのが好ましい。好ましくは、収納室には採尿容器に向かって指向した洗浄水噴射ノズルのような洗浄手段を配置し、洗浄水を噴射させることにより使用後に採尿容器とスイングアームを洗浄する。
【００２６】
スイングアームやそれを揺動させるためのモータのような駆動手段や収納室は便座に装着することができる。他の実施態様においては、それらは便器のリムに着脱自在に取り付けたフレームに搭載することができる。
【００２７】
本発明の上記特徴や効果、ならびに、他の特徴や利点は、以下の実施例の記載に従い明らかにする。
【００２８】
【実施例】
最初に、図１から図９を参照しながら、本発明の尿サンプリング装置の第１実施例について説明する。図１はこの第１実施例に係る尿サンプリング装置を備えた尿分析ユニットをトイレットの標準型の便器に取付けたところを示し、図２は図１の尿分析ユニットのハウジングを分解したところを示す。
【００２９】
これらの図面を参照するに、トイレット１０は市販の標準型の水洗便器１２を有し、この便器１２には本発明の尿サンプリング装置を備えた尿分析ユニット１４が取付けられている。便器１２は、ヴォルテックス型、サイフォン型、サイフォンジェット型、ウォッシュダウン型、その他任意の形式の標準型のもので、通常のボウル（便鉢）部１６と洗浄水供給部１８を有する。図示した実施例では、洗浄水供給部はシスターン取付け部１８からなり、この取付け部１８には従来型のシスターン２０が周知の態様で取付けてあるが、シスターンに代えて洗浄弁を備えた洗浄管から洗浄水を供給してもよい。
【００３０】
尿分析ユニット１４は、後述するように便器１２に固定されるハウジング２２を有し、このハウジング２２には便座２４が回動可能に装着される。図示した第１実施例においては、本発明の尿サンプリング装置２６はこの便座２４に組み込んである。ハウジング２２には、また、従来型の便蓋２８が開閉可能に装着してある。トイレットの側壁には、尿サンプリング装置２６を初めとする尿分析ユニット１４の構成要素を制御し、かつ、分析結果を出力するための制御ユニット３０を設置することができる。
【００３１】
尿分析ユニット１４のハウジング２２は、例えば図２に示したように、ハウジング基板３２と、上部ケーシング３４と、左右の下部ケーシング３６および３８とで構成することができる。ハウジング２２のこれらの部品は樹脂の射出成形により製造することができ、ビスなどにより互いに一体に締結することによりハウジング２２を形成する。図２に示したように、標準型の便器１２にはボウル部１６と洗浄水供給部１８との間において１対の便座取付け穴４０が設けてあり、これらの便座取付け穴４０を利用してハウジング２２が取付けられる。このため、ハウジング２２の基板３２は、実公昭６３−６２９１号に開示されたように基板３２の下面に２本のＴボルト４２をＴ溝嵌合により取付け、便座取付け穴４０にこれらのＴボルトを挿通し、対応するナット４４を締結することにより、ボウル部１６とシスターン取付け部１８との間において便器１２の上面４６に固定される。
【００３２】
図２からよく分かるように、基板３２は便器１２に対して横断方向に延長する中央部分とこの中央部分の両端から夫々前方へ延長する側方部分を有し、上部ケーシング３４も基板３２に対応する形状になっている。従って、基板３２と上部ケーシング３４と左右の下部ケーシング３６および３８は互いに協働してハウジングの中央部分２２Ｃと左側方部分２２Ｌと右側方部分２２Ｒ（図１）を形成する。
【００３３】
図２に示したように、ハウジングの左側方部分２２Ｌには、尿サンプリング装置２６によってサンプリングされた尿サンプルを分析する測定ユニット４８と、尿サンプルやキャリヤ液を測定ユニット４８に搬送する電動シリンジポンプ５０と、キャリヤ液タンク５２と、較正液タンク５４を収容することができる。測定ユニット４８にはポーラログラフ方式或いは吸光光度計方式のフローセルを用いることができる。ハウジング左側方部分２２Ｌには、また、指血圧計ユニット５６を配置し、被験者の左第２指に係合させることにより血圧を測定するようにしてもよい。図示した実施例では、ハウジング中央部分２２Ｃには、洗浄ノズル５８を備えた従来型のビデ装置６０と、従来型の温風乾燥装置６２と、オゾナイザーからなる従来型の脱臭装置６４が配置してあり、尿分析ユニット１４を備えたトイレット１０を通常の目的で使用する際に夫々の機能を提供するようになっている。しかし、これらの追加的機能は不可欠ではなく、省略することができる。ハウジングの右側方部分２２Ｒには、ユニット１４の電源装置６６やビデ装置の操作盤６８を収納することができる。
【００３４】
次に図３から図９を参照しながら、便座２４に組込まれた尿サンプリング装置２６を説明する。図３を参照するに、尿サンプリング装置２６はフレーム又はケース７０を備え、このフレームはビス等により便座２４の下面に適宜取付けられる。フレーム７０はほぼ便座の輪郭に沿って湾曲しており、便座に装着した時には概ね便座の下側に隠蔽されるようになっている。フレーム７０には湾曲したスイングアーム７２が回動可能に支持してあり、電動駆動機構７４によって揺動されるようになっている。図４からよく分かるように、スイングアーム７２の上端はスピンドル７６に取付けてあり、このスピンドルは一対の軸受け７８および８０によってフレーム７０に軸支されている。スピンドル７６はベルト伝動機構を介してステッピングモータ８２によって駆動される。このため、スピンドル７６には被動ギヤ８４が設けてあり、歯付きベルト８６が係合させてある。
【００３５】
図３からよく分かるように、モータ８２はスイングアーム７２のスピンドル７６からかなり後方に引き離して配置してある。図５に示したように、便座２４の下面には凹み８８が形成してあり、モータ８２およびベルト８６の上部を収容するようになっている。このように、便座２４の凹み８８を利用してモータ８２が収蔵されるので、フレーム７０を薄くすることができ、従って、便器１２のリム９０の上面９２と便座２４の下面との間の限られた上下方向間隔のスペースにフレーム７０を配置するのが可能になる。また、モータ８２が後方に配置してあり、これに対応して便座２４の後部の厚さの大きなところに凹み８８が配置してあるので、凹み８８の寸法を大きくすることができ、より大型のモータを使用することが可能になる。
【００３６】
図６に示したように、モータ８２の出力軸はスピンドル９４にスプライン連結してあり、このスピンドルはフレーム７０に固定された軸受けブロック９６に一対の軸受け９８および１００を介して回転可能に支持されている。スピンドル９４には駆動ギヤ１０２が設けてあり、ベルト８６が係合させてある。従って、モータ８２を回転させれば、スイングアーム７２が回転駆動される。スイングアームを精密に位置決めするためにはベルト８６の垂るみを取るのが望ましい。そこで、図３に示したように、フレーム７０には上向きにばね付勢されたスライダ１０４が配置してあり、このスライダにはベルト８６の下側ランに係合する従来型のテンションプリー（図面簡素化のため図示省略）が装着してある。モータ８２とベルト伝動機構を収容する室は、フレーム７０と便座２４の下面との間に挟まれたパッキン１０６によって密封され防水される。
【００３７】
スイングアーム７２の下端１０８には採尿容器１１０が設けてある。図７からよく分かるように、スイングアーム７２の下端１０８はスピンドル７６、即ち、スイングアーム７２の回転軸線を通る半径方向面７２Ａに対して後方に向けて段違い状にオフセットしてあり、スイングアーム７２を最も後方に回動させた極端位置において採尿容器１１０を出来るだけ後方に位置決めするようになっている。このように後方にオフセットしてあるので、短いスイングアームを使用しながらも、女性の場合のように比較的後方に落下する尿柱に採尿容器を適合させることができる。
【００３８】
図８からよく分かるように、採尿容器１１０は、便器１２に対して横断方向に延長する長軸をもったほぼ矩形の入口開口１１２を有する浅い船底形を呈し、その底部には尿溜まり１１４が形成されている。採尿容器１１０には尿溜まり１１４の底に向かって開口するＬ字形の採尿管１１６が設けてある。尿溜まり１１４に尿が溜まったことを検知するため、一対の被覆された上部電極１１８および下部電極１２０が尿溜まりの中に突出させてある。表面張力や表面の濡れによって電極取付け部１２２の側壁やこれらの電極に付着する尿や洗浄水の残留滴によってこれらの電極が不本意に短絡し、尿の集積が誤検知されるのを防止するため、これらの電極は、先端部のみを露出させ、残部は絶縁材で被覆してあると共に、一方の電極１２０は短く、他方の電極１１８は長くしてある。このように、不本意な短絡が防止されるので、電極を互いに接近して配置することが可能となり、尿溜まり１１４の寸法を小さくし、採尿管１１６による吸引効率を向上させることができる。
【００３９】
図示した実施例では、採尿容器１１０は、直立した環状側壁１２４と、底壁１２６と、底壁１２６に向かって後方に傾斜した前壁１２８と、底壁１２６に向かって左方に傾斜した右壁１３０を有し、全体ではほぼ平たい形状になっている。環状側壁１２４の後部右側部分１２４Ａは、後述する理由により、図７および図８に示したように前方に傾斜させてある。
【００４０】
採尿容器１１０の入口開口１１２はステンレス鋼などからなる金網１３２によって覆われており、採尿容器１１０に降り注がれた尿が反射飛散したり異物が侵入したりするのを防止するようになっている。Ｌ字管１１６はスイングアーム７２の中空内部を延長する可撓性チューブ１３４に接続されている。このチューブ１３４はスピンドル７６の中空内部を延長して図４に示したようにスピンドル７６の窓１３６から後方に導かれ、シリンジポンプ５０に接続される。同様に、尿検知電極１１８および１２０もスイングアームとスピンドル７６の中空内部を延長するリード線１３８および１４０に夫々接続されている。これらのリード線は尿分析ユニット１４の制御回路に接続される。
【００４１】
図３に示したように、採尿装置２６のフレーム７０は便座２４の輪郭にほぼ沿って便座の左後部から便座の前部まで延長している。図３および図９からよく分かるように、非使用時に採尿容器１１０とスイングアーム７２を収納するため、ボウル１６に向かって下向きに開口したチャンネル形状の収納洗浄室１４２を形成する収納ケース１４４が設けてある。この収納ケース１４４は例えばフレーム７０と一体形成することができる。この収納ケース１４４は、便器１２のリム９０の側部から前部にかけてリム９０の輪郭に沿って湾曲して延長しており、リム９０の内側に配置されるようになっている。
【００４２】
図３に示したように収納洗浄室１４２には噴射ノズル１４６が指向させてあり、図９に実線で示した位置に収納された採尿容器１１０に圧力水を噴射して、使用後に採尿容器１１０とスイングアーム７２を洗浄するようになっている。噴射ノズル１４６はフレーム７０に取り付けた取り付けブロック１４８に固定することができ、収納洗浄室１４２内に収納された採尿容器１１０の鉛直方向中心よりもやや高くなるような位置に配置することができる。噴射ノズル１４６には電磁弁（図示せず）を介して水道管に接続されたホース１５０から圧力水を供給することができる。チャンネル形状の収納ケース１４４は後方に向かって寸法が小さくなり、排水樋１５２を形成している。
【００４３】
非使用時には、採尿容器１１０は図９に実線で示したように収納洗浄室１４２内に収納されており、この状態で便座２４は尿サンプリング装置２６と共に回動させることができる。使用位置においては、便座２４はクッション付きの脚部１５４（図５にはその２つが示してあり、図示しない他の２つはフレーム７０の下面に配置されている）によって便器のリム９０の上面９２に支持される。
【００４４】
採尿容器１１０はほぼ偏平に形成されているので、図９に実線で示したように収納洗浄室１４２内にほぼ垂直な姿勢で収納した時には、前後方向に狭い収納洗浄室１４２内に容易に収納することができる。従って、収納洗浄室１４２の前後方向寸法を小さくすることにより収納洗浄室１４２を便座２４の下に出来るだけ隠蔽し、外観の良い便座を提供することができる。
【００４５】
尿のサンプリングと分析にあたり、被験者が便座２４に着座し、制御ユニット３０に設けられたスタートスイッチ３０Ａを押すと、モータ８２が回転してスイングアーム７２を回動させる。一般に、放尿方向には男女差があり、男性の場合には尿柱は比較的前方に落下し、女性の場合には後方に落下する傾向にある。更に、放尿方向には個人差もある。従って、使用者が男性の場合には、採尿容器１１０が図９に仮想線で示した位置Ａの近傍に位置決めされるようにスイングアームを予め回動させ、使用者の指令に応じて位置を微調整できるようにすることができる。
【００４６】
使用者は適切な位置に採尿容器１１０が持ち来された時に採尿容器１１０に向かって放尿することができる。位置Ａ又はその近傍では、採尿容器１１０の入口開口は前方に傾斜しているので、ペニスから前方に発射されボウル１６の比較的前方に落下するような軌跡１５６に沿って飛来する尿柱は採尿容器１１０の入口開口１１２にほぼ垂直に交わるであろう。従って、採尿容器１１０はその開口面積をフルに利用して尿を受け取ることができる。
【００４７】
採尿容器１１０は横長の入口開口１１２を有するので、放尿方向が左右に多少ずれたとしても、尿柱が入口開口の横方向広がりの範囲内に落下する確率が高く、効率良く尿を採取することができる。
【００４８】
採尿容器の傾斜した前壁１２８に落下した尿飛沫は後方の尿溜まり１１４に向かって流れ、図９にハッチング領域で示したように尿溜まりに集積する。このようにしてサンプリングされた尿は、シリンジポンプ５０によりＬ字形採尿管１１６と可撓性チューブ１３４を介して吸引され、キャリヤ液タンク５２内のキャリヤ液と共に測定ユニット４８に搬送して、定量分析に付される。
【００４９】
尿サンプルの吸引は、電極１１８および１２０からの信号により尿溜まり１１４内に上部電極１１８のレベルまで尿が集積したことが検出された時に自動的に行うことができる。Ｌ字形採尿管１１６は尿溜まり１１４の底部に開口しているので、気泡を取り込むことなく尿サンプルが吸引される。
【００５０】
測定ユニット４８は、例えば、グルコース酸化酵素の固定化膜を備えたポーラログラフ・フローセルからなり、尿中のグルコース含有量に応じた信号を制御ユニット３０に出力する。制御ユニット３０は測定ユニット４８からの信号に基づいてグルコース濃度を演算し、表示部３０Ｂに表示し、被験者の指令に応じてプリンタ３０Ｃに出力する。
【００５１】
女性の場合には、図９に矢印１５８で示したように、尿柱は男性の場合より後方にほぼ下向きに落下する傾向にある。従って、使用者が女性の場合には採尿容器１１０は仮想線で示した位置Ｂの近傍にほぼ水平に位置決めすることができる。この位置では、採尿容器１１０の入口開口１１２はほぼ水平な姿勢を取るので、入口開口はほぼ下向きに落下する尿柱に対して垂直になる。従って、女性被験者から排泄された尿を効果的に回収する。傾斜した前壁１２８と右壁１３０は採尿容器１１０に降り注がれた尿を尿溜まり１１４に流れるように指向させる。回収された尿は図９にハッチング領域で示したように尿溜まりに集積し、採尿管１１６から吸引される。採尿容器１１０は使用者の指令に応じ極端位置Ｃまで移動させても良い。
【００５２】
採尿が終わると、スイングアーム７２を回動させることにより採尿容器１１０は図９に実線で示した位置に戻される。次に、電磁弁を作動させることにより洗浄水がノズル１４６から噴射される。噴射された洗浄水はスプレー或いはミストを形成し、チャンネル形状の収納洗浄室１４２に沿って進行しながら、採尿容器１１０の外部を洗浄すると共に、スイングアーム７２の表面を洗浄する。噴射ノズル１４６は採尿容器１１０の中心よりも高めに配置してあるので、採尿容器１１０とスイングアーム７２にかかった洗浄水は流下しながらそれらを洗浄する。スプレーの一部は洗浄室１４２の内壁によって前方に反射され、今や垂直な姿勢になっている採尿容器１１０の金網１３２を通過して採尿容器の内部に進入し、採尿容器の内部を洗浄する。金網１３２はやや前方に傾斜させておくのが好ましい。そうすれば、洗浄水が金網１３２を通過しやすい。
【００５３】
洗浄時には採尿容器１１０は垂直な姿勢になっているので、採尿容器の内部に進入した洗浄水は速やかに排出される。収納洗浄室１４２は下方に開口しているので、使用済みの洗浄水はボウル１６内に落下する。
【００５４】
採尿容器の側壁１２４の後部右側部分１２４Ａは前方に傾斜させてあるので、採尿容器の内部に進入した洗浄水は側壁部分１２４Ａによって採尿管１１６や電極１１８および１２０に向かって流れるべく案内され、それらを効果的に洗浄する。また、このように洗浄水は採尿管１１６に向かって集められるので、シリンジポンプ５０により採尿管１１６から洗浄水を吸引させれば、採尿管１１６と搬送チューブ１３４の内部を洗浄することができる。
【００５５】
異物の侵入を防止するためには、金網１３２の網目は出来るだけ細かくするのが好ましく、少なくとも採尿管１１６の内径よりも小さくする必要がある。しかし、網目を細かくすればするだけ、洗浄水のスプレーを通過させるのが困難になる。しかし、傾斜した側壁部分１２４Ａがあるので、採尿容器の内側に進入した限られた量の洗浄水を最大限に利用することができる。図８に示したように、ノズル１４６に面する採尿容器１１０の周壁１２４に切欠き１６０を設ければ、採尿容器の内部の洗浄を促進することができる。
【００５６】
尿サンプリング装置２６は便座２４に装着されているので、トイレットの通常の使用時や清掃の際にはサンプリング装着２６と共に便座２４を回動させることができる。便座を跳ね上げた時には、洗浄水の残留滴は排水樋１５２によってフレーム７０の後部まで案内され、ボウルの後部に落下する。
【００５７】
図１０および図１１には本発明の尿サンプリング装置の第２実施例を示す。前述した第１実施例の構成要素と共通する構成要素は同じ参照番号で示し、説明は省略する。第１実施例との主な相違点は、収納洗浄室１４２を便器１２のリム９０の後部の内側に配置し、非使用時にはスイングアーム７２を後方に揺動させるようにしたことである。
【００５８】
この実施例においても、サンプリング装置２６のフレーム７０は便座２４に装着してある。収納洗浄室１４２を形成する収納ケース１４４は便器のリム９０の側部から後部にかけてリム９０の内縁に沿って湾曲して延長しており、第１実施例と同様にフレーム７０と一体形成されている。リム後部の収納洗浄室１４２からボウル前部の採尿位置Ａまで採尿容器１１０を回動させるため、スイングアーム７２はやや長くしてあると共に、その回転軸線はボウル１６のほぼ中央部の上方に配置してある。従って、スイングアーム７２は直接にモータ８２に連結することができる。この実施例の使用と作動の態様は、スイングアーム７２が後方に揺動される点を除き、前述した第１実施例と基本的に同様である。
【００５９】
図１２には本発明の尿サンプリング装置の第３実施例を示す。同様に、第１実施例の構成要素と共通する構成要素は同じ参照番号で示し、説明は省略する。この実施例は、尿分析ユニット１４を便器のリム９０に引っ掛けて使用するように構成したことを特徴としており、尿サンプリング装置２６はこの尿分析ユニット１４に装着してある。
【００６０】
図１２を参照するに、尿分析ユニット１４はハウジング１８０を有し、このハウジングは互いにスナップ嵌めされた上下２つの半体で形成することができる。ハウジング１８０にはフックとして作用する垂直ラグ１８２が形成してあり、ハウジングを便器のリム９０の側部に鉤掛けできるようになっている。
【００６１】
ハウジング１８０内には、第１実施例と同様のポーラログラフ・セルなどからなる測定ユニット（図示せず）、電動シリンジポンプ５０、キャリヤ液タンク５２、較正液タンク（図示せず）、制御演算回路（図示せず）、および採尿容器洗浄水の供給を制御するための電磁弁（図示せず）が収蔵してある。スタートスイッチ３０Ａと分析結果を表示する表示部３０Ｂはハウジング１８０の上面に設けることができる。
【００６２】
ハウジング１８０の上部には採尿容器１１０を担持したスイングアーム７２が軸支してあり、ハウジング内に収蔵されたモータ（図示せず）により揺動されるようになっている。収納洗浄室１４２を形成する収納ケース１４４はハウジング１８０と一体成形することができ、その荷重の一部はリム９０に支承される。図示した実施例においては、この収納ケース１４４は第１実施例と同様にリム９０の側部から前部にわたって延長させてあり、非使用時に採尿容器１１０をリム９０の前部の内側に収納するように構成されている。しかし、図１０および図１１に示した第２実施例のように採尿容器１１０をリム９０の後部の内側に収納するように構成してもよい。
【００６３】
この第３実施例に係る尿サンプリング装置２６の使用と作動の態様は、第１実施例について前述したところと基本的に同様である。この尿分析ユニット１４は自己完結型のユニットになっているので、洗浄水供給ホース１５０を水道管に接続するだけで極めて簡単に便器に取付けることができ、非使用時には容易に取り外して適当な場所に保管することができる。
【００６４】
以上には本発明の特定の実施例を記載したが、本発明はこれらに限定されるものではなく、種々の設計変更を施すことができる。例えば、採尿位置において受尿面積が大きくなり、収納位置において前後方向寸法が小さくなる限り、採尿容器１１０の形状は適宜変更することができる。また、スイングアーム７２や収納洗浄室１４２や洗浄ノズル１４６の形状は変更することができ、スイングアームは手動で揺動させてもよい。
【００６５】
【発明の効果】
本発明の種々の特徴と効果については既に随所で述べた。ここに要点を示せば、ほぼ平たい採尿容器１１０を使用し、スイングアーム７２と一体的に回動させるようにしたので、尿柱の軌跡に対して採尿容器１１０は常に最大の受尿面積を提供する。従って、確実に採尿を行うことができる。非使用時にはスイングアームの揺動に伴い採尿容器は垂直に保持されるので、狭い収納洗浄室１４２に容易に収納することができる。
【００６６】
収納洗浄室を便器のリムの前部の近傍に配置した実施態様においては、採尿容器を迅速に採尿位置に揺動させることができるので、採尿準備の待ち時間を短縮することができる。
【００６７】
収納洗浄室とスイングアームを便器のリムの輪郭に合わせて湾曲させた場合には、非使用時には尿サンプリング装置の構成要素はほぼ便座の下方に隠蔽されるので、トイレットを通常の目的で使用する場合に使い勝手が良い。
【００６８】
収納洗浄室に洗浄水噴射装置を設け、採尿容器とスイングアームを一挙に洗浄するようにした場合には、尿サンプリング装置を清潔に維持することができ、悪臭の発生を回避することができる。
【図面の簡単な説明】
【図１】図１は、本発明の第１実施例に係る尿サンプリング装置を備えた尿分析ユニットを便器に取付けたところを示す斜視図である。
【図２】図２は、図１に示した尿分析ユニットのハウジングの分解斜視図である。
【図３】図３は、図１に示した尿サンプリング装置の斜視図で、収納洗浄室は１部切欠いて示してある。
【図４】図４は、図３のＩＶ−ＩＶ線に沿った断面図である。
【図５】図５は、便座を裏返したところを示す斜視図である。
【図６】図６は、図３のＶＩ−ＶＩ線に沿った断面図である。
【図７】図７は、図３に示したスイングアームの側面図である。
【図８】図８は、図３に示した採尿容器の拡大斜視図で、１部切欠いて示してある。
【図９】図９は、図３のＩＸ−ＩＸ線に沿った断面図である。
【図１０】図１０は、本発明の第２実施例に係る尿サンプリング装置の１部切欠き斜視図である。
【図１１】図１１は、図１０のＸＩ−ＸＩ線に沿った断面図である。
【図１２】図１２は、本発明の第３実施例に係る尿サンプリング装置を備えた尿分析ユニットを便器に取付けたところを示す１部切欠き斜視図である。
【符号の説明】
１２：  標準型便器
１６：  便器のボウル
２４：  便座
２６：  尿サンプリング装置
７０：  尿サンプリング装置のフレーム
７２：  スイングアーム
９０：  便器のリム
１１０：  採尿容器
１４４：  収納洗浄室
【図１】
0003557710.tif 000002
【図２】
0003557710.tif 000003
【図３】
0003557710.tif 000004
【図４】
0003557710.tif 000005
【図５】
0003557710.tif 000006
【図６】
0003557710.tif 000007
【図７】
0003557710.tif 000008
【図８】
0003557710.tif 000009
【図９】
0003557710.tif 000010
【図１０】
0003557710.tif 000011
【図１１】
0003557710.tif 000012
【図１２】
0003557710.tif 000013